(57)【要約】  【課題】個人認証を行い、各種サービスを提供することのできる自動販売機を提供する。  【解決手段】非接触媒体３と情報を送受信する通信手段４と、所定の入金金額に応じて、サービスする所定の金額を記憶する記憶手段６と、通信手段４と記憶手段６とに接続された演算制御部を備え、顧客２が非接触媒体３を使用して、入金登録作業を行った場合に、所定の入金金額に記憶手段６により記憶された所定の金額をサービスして、非接触媒体３に送信するので、自動販売機での販売量の増加が期待できる。【選択図】図１
2007041742.tif 000002
【特許請求の範囲】
【請求項１】
非接触媒体と情報を送受信する通信手段と、自動販売機へ所定の金額を入金し、その入金金額に対するサービス金額を付加し、そのサービス金額を記憶する記憶手段とを備え、顧客が入金金額を非接触媒体に登録作業を行った場合に、所定の入金金額に前記記憶手段に記憶されたサービス金額を付加した登録金額情報を非接触媒体に送信することを特徴とした自動販売機。
【請求項２】
入金金額に応じてサービスする金額を変更するための金額設定手段と、前記金額設定手段によって検出されるサービス金額を記憶する記憶手段とを備えたことを特徴とした請求項１に記載の自動販売機。
【請求項３】
非接触媒体を使用して商品購入した回数を記憶するための購入回数記憶手段を備え、顧客が非接触媒体を使用して、入金登録作業を行った場合に、購入回数記憶手段により記憶された購入回数が所定の回数に達する毎に、前記記憶手段により記憶された金額に割増率をかけたサービス金額を付加した登録金額情報を非接触媒体に送信することを特徴とした請求項１または２に記載の自動販売機。
【請求項４】
累計購入回数に応じて、割増率を変更するための回数割増率設定手段を備え、顧客が非接触媒体を使用して、入金登録作業を行った場合に、購入回数記憶手段により記憶された購入回数に応じて、前記記憶手段により記憶された金額に前記回数割増率設定手段により設定された割増率をかけたサービス金額を付加した登録金額情報を非接触媒体に送信することを特徴とした請求項３に記載の自動販売機。
【請求項５】
各商品毎の購入回数を記憶するための特定商品購入回数記憶手段を備え、顧客が非接触媒体を使用して、入金登録作業を行った場合に、特定商品購入回数記憶手段により記憶された購入回数が所定の回数に達する毎に、前記記憶手段により記憶された金額に割増率をかけたサービス金額を付加した登録金額情報を非接触媒体に送信することを特徴とした請求項１または２に記載の自動販売機。
【請求項６】
非接触媒体を使用して商品購入した金額を記憶するための購入金額記憶手段を備え、顧客が非接触媒体を使用して、入金登録作業を行った場合に、購入金額記憶手段により記憶された購入金額が所定の金額に達する毎に、前記記憶手段により記憶された金額に割増率をかけたサービス金額を付加した登録金額情報を非接触媒体に送信することを特徴とした請求項１または２に記載の自動販売機。
【請求項７】
累計購入金額に応じて、割増率を変更するための金額割増率設定手段を備え、顧客が非接触媒体を使用して、入金登録作業を行った場合に、購入金額記憶手段により記憶された購入金額に応じて、前記記憶手段により記憶された金額に前記金額割増率設定手段により設定された割増率をかけたサービス金額を付加した登録金額情報を非接触媒体に送信することを特徴とした請求項６に記載の自動販売機。
【発明の詳細な説明】
【技術分野】
【０００１】
本発明は、非接触媒体を使用して顧客の個人認証を行うことにより、顧客毎にサービスを提供する自動販売機に関するものである。
【背景技術】
【０００２】
従来、この種の自動販売機には、ネットワークシステムを介して個人認証を行い、顧客毎のサービスを提供している（例えば、特許文献１参照）。
【０００３】
図１６は特許文献１に記載された従来の自動販売機システムを示すものである。図１６に示すように自動販売機１０では、虹彩カメラ１２が商品を購入する顧客１の虹彩画像を撮像すると、制御部２４が虹彩画像のデータをネットワーク５０を介して管理センター３０へ送信する。管理センター３０の認証部３６は、自動販売機１０からの虹彩画像データとデータベースに登録されているデータに基づき顧客１の個人認証を行い、個人認証がされた場合はデータベースから顧客１の購買履歴に対応するサービス情報を取り出し、該当する自動販売機１０に向けて送出し自動販売機１０は受信したサービス情報に基づいて顧客１へ所定のサービスを提供する。
【特許文献１】特開２００２−３１２８３５号公報
【発明の開示】
【発明が解決しようとする課題】
【０００４】
しかしながら、上記従来の構成では、虹彩カメラで撮像した虹彩画像をネットワークを経由して管理センターへ送信し、管理センターに登録された虹彩画像のデータを照合して行う個人認証なので、各種サービスを受けるためには時間を必要とし、また、個人認証によるサービスも販売店で行われているサービスと同じ味価格割引にとどまっているという課題を有していた。
【０００５】
本発明は従来の課題を解決するもので、ＩＣチップが組み込まれた非接触媒体と、通信を行うための通信手段を備えた自動販売機により、管理センターとの通信なしで、個人認証を行い、各種サービスを提供することのできる自動販売機を提供することを目的とする。
【課題を解決するための手段】
【０００６】
上記従来の課題を解決するために、本発明の請求項１に記載の発明は、非接触媒体と情報を送受信する通信手段と、所定の入金金額に応じて、サービスする所定の金額を記憶する記憶手段と、通信手段と記憶手段とに接続された演算制御部を備え、前記演算制御部は、顧客が非接触媒体を使用して、入金登録作業を行った場合に、所定の入金金額に前記記憶手段により記憶された所定の金額をサービスして、非接触媒体に送信することを特徴としものである。
【０００７】
これによって、個人認証に要する時間を短縮できるとともに、顧客は所定の金額を入金登録することにより、サービスを受けることができ、自動販売機での販売量の増加が期待できる。
【０００８】
また、本発明の請求項２に記載の発明は、請求項１に記載の発明に、さらに、入金金額に応じて、サービスする金額を変更するための金額設定手段を備えたものであり、前記演算制御部は、顧客が非接触媒体を使用して、入金登録作業を行った場合に、入金登録金額に応じて、前記設定手段により設定され、前記記憶手段により記憶された金額をサービスして、非接触媒体に送信することを特徴としたものである。
【０００９】
これによって、個人認証に要する時間を短縮できるとともに、顧客は入金登録時の入金金額に応じた、サービスを受けることができ、自動販売機での販売量の増加が期待できる。
【００１０】
また、本発明の請求項３に記載の発明は、請求項１または２に記載の発明に、さらに、非接触媒体を使用して商品購入した回数を記憶するための購入回数記憶手段を備え、前記演算制御部は、顧客が非接触媒体を使用して、入金登録作業を行った場合に、購入回数記憶手段により記憶された購入回数が所定の回数をクリアする毎に、前記記憶手段により記憶された金額に割増率をかけた金額をサービスして、非接触媒体に送信することを特徴としたものである。
【００１１】
これによって、個人認証に要する時間を短縮できるとともに、顧客は自動販売機で購入した所定回数毎に、サービスを受けることができ、自動販売機での販売量の増加が期待できる。
【００１２】
また、本発明の請求項４に記載の発明は、請求項３に記載の発明に、さらに、累計購入回数に応じて、割増率を変更するための回数割増率設定手段を備え、前記演算制御部は、顧客が非接触媒体を使用して、入金登録作業を行った場合に、購入回数記憶手段により記憶された購入回数に応じて、前記記憶手段により記憶された金額に前記回数割増率設定手段により設定された割増率をかけた金額をサービスして、非接触媒体に送信することを特徴としたものである。
【００１３】
これによって、個人認証に要する時間を短縮できるとともに、顧客は自動販売機で購入した累計回数に応じて、サービスを受けることができ、自動販売機での販売量の増加が期待できる。
【００１４】
また、本発明の請求項５に記載の発明は、請求項１または２に記載の発明に、さらに、各商品毎の購入回数を記憶するための特定商品購入回数記憶手段を備え、前記演算制御部は、顧客が非接触媒体を使用して、入金登録作業を行った場合に、特定商品購入回数記憶手段により記憶された購入回数が所定の回数をクリアする毎に、前記記憶手段により記憶された金額に割増率をかけた金額をサービスして、非接触媒体に送信することを特徴としたものである。
【００１５】
これによって、個人認証に要する時間を短縮できるとともに、顧客は自動販売機で特定商品を購入した所定回数毎に、サービスを受けることができ、自動販売機での特定商品販売量の増加が期待できる。
【００１６】
また、本発明の請求項６に記載の発明は、請求項１または２に記載の発明に、さらに、非接触媒体を使用して商品購入した金額を記憶するための購入金額記憶手段を備え、前記演算制御部は、顧客が非接触媒体を使用して、入金登録作業を行った場合に、購入金額記憶手段により記憶された購入金額が所定の金額をクリアする毎に、前記記憶手段により記憶された金額に割増率をかけた金額をサービスして、非接触媒体に送信することを特徴としたものである。
【００１７】
これによって、個人認証に要する時間を短縮できるとともに、顧客は自動販売機で購入した所定金額毎に、サービスを受けることができ、自動販売機での販売量の増加が期待できる。
【００１８】
また、本発明の請求項７に記載の発明は、請求項６に記載の発明に、さらに、累計購入金額に応じて、割増率を変更するための金額割増率設定手段を備え、前記演算制御部は、顧客が非接触媒体を使用して、入金登録作業を行った場合に、購入金額記憶手段により記憶された購入金額に応じて、前記記憶手段により記憶された金額に前記金額割増率設定手段により設定された割増率をかけた金額をサービスして、非接触媒体に送信することを特徴としたものである。
【００１９】
これによって、個人認証に要する時間を短縮できるとともに、顧客は自動販売機で購入した累計金額に応じて、サービスを受けることができ、自動販売機での販売量の増加が期待できる。
【発明の効果】
【００２０】
本発明の自動販売機は、個人認証に要する時間を短縮できるとともに、顧客は所定の金額を事前入金することにより、サービスを受けることができ、自動販売機での販売量の増加が期待できる。
【発明を実施するための最良の形態】
【００２１】
請求項１に記載の発明は、非接触媒体と情報を送受信する通信手段と、所定の入金金額に応じて、サービスする所定の金額を記憶する記憶手段と、通信手段と記憶手段とに接続された演算制御部を備えたことにより、個人認証に要する時間を短縮できるとともに、顧客は所定の金額を事前入金することにより、サービスを受けることができ、自動販売機での販売量の増加が期待できる。
【００２２】
請求項２に記載の発明は、請求項１に記載の発明に、さらに、入金金額に応じて、サービスする金額を変更するための金額設定手段を備えたことにより、個人認証に要する時間を短縮できるとともに、顧客は入金登録時の入金金額に応じた、サービスを受けることができ、自動販売機での販売量の増加が期待できる。
【００２３】
請求項３に記載の発明は、請求項１または２に記載の発明に、さらに、非接触媒体を使用して商品購入した回数を記憶するための購入回数記憶手段を備えたことにより、個人認証に要する時間を短縮できるとともに、顧客は自動販売機で購入した所定回数毎に、サービスを受けることができ、自動販売機での販売量の増加が期待できる。
【００２４】
請求項４に記載の発明は、請求項３に記載の発明に、さらに、累計購入回数に応じて、割増率を変更するための回数割増率設定手段を備えたことにより、個人認証に要する時間を短縮できるとともに、顧客は自動販売機で購入した累計回数に応じて、サービスを受けることができ、自動販売機での販売量の増加が期待できる。
【００２５】
請求項５に記載の発明は、請求項１または２に記載の発明に、さらに、各商品毎の購入回数を記憶するための特定商品購入回数記憶手段を備えたことにより、個人認証に要する時間を短縮できるとともに、顧客は自動販売機で特定商品を購入した所定回数毎に、サービスを受けることができ、自動販売機での特定商品販売量の増加が期待できる。
【００２６】
請求項６に記載の発明は、請求項１または２に記載の発明に、さらに、非接触媒体を使用して商品購入した金額を記憶するための購入金額記憶手段を備えたことにより、個人認証に要する時間を短縮できるとともに、顧客は自動販売機で購入した所定金額毎に、サービスを受けることができ、自動販売機での販売量の増加が期待できる。
【００２７】
請求項７に記載の発明は、請求項６に記載の発明に、さらに、累計購入金額に応じて、割増率を変更するための金額割増率設定手段を備えたことにより、個人認証に要する時間を短縮できるとともに、顧客は自動販売機で購入した累計金額に応じて、サービスを受けることができ、自動販売機での販売量の増加が期待できる。
【００２８】
以下、本発明による自動販売機の実施の形態について、図面を参照しながら説明する。なお、この実施の形態によってこの発明が限定されるものではない。
【００２９】
（実施の形態１）
図１は、本発明の実施の形態１における自動販売機の概略構成図である。
【００３０】
図２は、同実施の形態の自動販売機の機能ブロック図である。図３は、同実施の形態の自動販売機の動作を示すフローチャートである。
【００３１】
図１、図２において、自動販売機本体１は、商品を購入する顧客２が携帯しているＩＣチップが組み込まれた非接触媒体３と情報を送受信する通信手段４と、所定の入金金額に応じて、サービスする所定の金額を記憶する記憶手段６と、通信手段４、記憶手段６とに接続された演算制御部７ａとを備えた制御装置５から構成されている。
【００３２】
以上のように構成された自動販売機について、以下その演算制御部７ａの動作、作用を図３のフローチャートをもとにして説明する。
【００３３】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。また、ＳＴＥＰ１において、ＩＣチップが組み込まれた非接触媒体３が検知されなかった場合は、通常の自動販売機として商品の販売が行われる。ＳＴＥＰ２で受信したデータにより個人認証を行う（ＳＴＥＰ３）。ＳＴＥＰ３において、個人認証ができた場合は、記憶手段６に登録されたデータよりサービス金額を検出する（ＳＴＥＰ４）。そして、ＳＴＥＰ４において、検出されたサービス金額を入金金額にプラスしたデータをＩＣチップが組み込まれた非接触媒体３に送信する（ＳＴＥＰ５）。また、ＳＴＥＰ３において、個人認証ができなかった場合は、入金登録作業を中断し、通常の自動販売機として商品の販売が行われる。
【００３４】
以上のように、本実施の形態においては非接触媒体３と情報を送受信する通信手段４と、所定の入金金額に応じて、サービスする所定の金額を記憶する記憶手段６と、通信手段４と記憶手段６とに接続された演算制御部７ａを備えたことにより、個人認証に要する時間を短縮できるとともに、顧客は所定の金額を事前入金することにより、サービスを受けることができ、自動販売機での販売量の増加が期待できる。
【００３５】
（実施の形態２）
図４は、本発明の実施の形態２における自動販売機の機能ブロック図である。図５は、同実施の形態の自動販売機の動作を示すフローチャートである。
【００３６】
図４において、金額設定手段８は、演算制御部７ｂに接続し、入金金額応じたサービス金額を設定するためのものである。
【００３７】
本実施の形態は、実施の形態１による自動販売機に、さらに、入金金額に応じて、サービスする金額を変更するための金額設定手段８を設けたものである。
【００３８】
以上のように構成された自動販売機について、以下その演算制御部７ｂの動作、作用を図５のフローチャートをもとにして説明する。
【００３９】
まず、顧客２が自動販売機１に入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。また、ＳＴＥＰ１において、ＩＣチップが組み込まれた非接触媒体３が検知されなかった場合は、通常の自動販売機として商品の販売が行われる。ＳＴＥＰ２で受信したデータにより個人認証を行う（ＳＴＥＰ３）。ＳＴＥＰ３において、個人認証ができた場合は、金額設定手段８により入金金額に応じて設定されサービス金額を記憶手段６に登録されたデータより検出する（ＳＴＥＰ６）。そして、ＳＴＥＰ６において、検出されたサービス金額を入金金額にプラスしたデータをＩＣチップが組み込まれた非接触媒体３に送信する（ＳＴＥＰ５）。また、ＳＴＥＰ３において、個人認証ができなかった場合は、入金登録作業を中断し、通常の自動販売機として商品の販売が行われる。
【００４０】
以上のように、本実施の形態においては請求項１に記載の発明に、さらに、入金金額に応じて、サービスする金額を変更するための金額設定手段を備えたことにより、個人認証に要する時間を短縮できるとともに、顧客は入金登録時の入金金額に応じた、サービスを受けることができ、自動販売機での販売量の増加が期待できる。
【００４１】
（実施の形態３）
図６は、本発明の実施の形態３における自動販売機の機能ブロック図である。図７は、同実施の形態の自動販売機の動作を示すフローチャートである。
【００４２】
図６において、購入回数記憶手段９は、演算制御部７ｃに接続し、顧客毎に所定の購入回数を記憶するためのものである。
【００４３】
本実施の形態は、実施の形態１または２による自動販売機に、さらに、非接触媒体を使用して商品購入した回数を記憶するための購入回数記憶手段を設けたものである。
【００４４】
以上のように構成された自動販売機について、以下その演算制御部７ｃの動作、作用を図７のフローチャートをもとにして説明する。
【００４５】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。
【００４６】
また、ＳＴＥＰ１において、ＩＣチップが組み込まれた非接触媒体３が検知されなかった場合は、通常の自動販売機として商品の販売が行われる。ＳＴＥＰ２で受信したデータにより個人認証を行う（ＳＴＥＰ３）。ＳＴＥＰ３において、個人認証ができた場合は、顧客の現在の商品購入回数を検出する（ＳＴＥＰ７）。ＳＴＥＰ７において、検出された購入回数が所定の回数に達していた場合には、記憶手段６に登録されたデータより検出されたサービス金額に所定の割増率をかけて最終のサービス金額を検出する（ＳＴＥＰ８）。そして、ＳＴＥＰ８において、検出されたサービス金額を入金金額にプラスしたデータをＩＣチップが組み込まれた非接触媒体３に送信する（ＳＴＥＰ５）。また、ＳＴＥＰ７において検出された購入回数が所定の回数に達していない場合には、記憶手段６に登録されたデータよりサービス金額を検出する（ＳＴＥＰ４）。また、ＳＴＥＰ３において、個人認証ができなかった場合は、入金登録作業を中断し、通常の自動販売機として商品の販売が行われる。
【００４７】
以上のように、本実施の形態においては請求項１または２に記載の発明に、さらに、非接触媒体を使用して商品購入した回数を記憶するための購入回数記憶手段を備えたことにより、個人認証に要する時間を短縮できるとともに、顧客は自動販売機で購入した所定回数毎に、サービスを受けることができ、自動販売機での販売量の増加が期待できる。
【００４８】
（実施の形態４）
図８は、本発明の実施の形態４における自動販売機の機能ブロック図である。図９は、同実施の形態の自動販売機の動作を示すフローチャートである。
【００４９】
図８において、回数割増率設定手段１０は、演算制御部７ｄに接続し、累計の購入回数に応じて、サービス金額の割増率を設定するためのものである。
【００５０】
本実施の形態は、実施の形態３による自動販売機に累計購入回数に応じて、割増率を変更するための回数割増率設定手段を備えたものである。
【００５１】
以上のように構成された自動販売機について、以下その演算制御部７ｄの動作、作用を図９のフローチャートをもとにして説明する。
【００５２】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。また、ＳＴＥＰ１において、ＩＣチップが組み込まれた非接触媒体３が検知されなかった場合は、通常の自動販売機として商品の販売が行われる。
【００５３】
ＳＴＥＰ２で受信したデータにより個人認証を行う（ＳＴＥＰ３）。ＳＴＥＰ３において、個人認証ができた場合は、顧客の現在の商品購入回数により、回数割増率設定手段１０により購入回数に応じて設定された割増率を検出し（ＳＴＥＰ９）、記憶手段６に登録されたデータより検出されたサービス金額にＳＴＥＰ９にて検出された割増率をかけて最終のサービス金額を検出する（ＳＴＥＰ１０）。そして、ＳＴＥＰ１０において、検出されたサービス金額を入金金額にプラスしたデータをＩＣチップが組み込まれた非接触媒体３に送信する（ＳＴＥＰ５）。また、ＳＴＥＰ３において、個人認証ができなかった場合は、入金登録作業を中断し、通常の自動販売機として商品の販売が行われる。
【００５４】
以上のように、本実施の形態においては請求項３記載の発明に、さらに、累計購入回数に応じて、割増率を変更するための回数割増率設定手段を備えたことにより、顧客は自動販売機で購入した累計回数に応じて、サービスを受けることができ、自動販売機での販売量の増加が期待できる。
【００５５】
（実施の形態５）
図１０は、本発明の実施の形態５における自動販売機の機能ブロック図である。図１１は、同実施の形態の自動販売機の動作を示すフローチャートである。
【００５６】
図１０において、特定商品購入回数記憶手段１１は、演算制御部７ｅに接続し、顧客毎に特定商品の購入回数を記憶するためのものである。
【００５７】
本実施の形態は、実施の形態１または２による自動販売機に、さらに、各商品毎の購入回数を記憶するための特定商品購入回数記憶手段を設けたものである。
【００５８】
以上のように構成された自動販売機について、以下その演算制御部７ｅの動作、作用を図１１のフローチャートをもとにして説明する。
【００５９】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。また、ＳＴＥＰ１において、ＩＣチップが組み込まれた非接触媒体３が検知されなかった場合は、通常の自動販売機として商品の販売が行われる。
【００６０】
ＳＴＥＰ２で受信したデータにより個人認証を行う（ＳＴＥＰ３）。ＳＴＥＰ３において、個人認証ができた場合は、顧客の現在の特定商品購入回数を検出する（ＳＴＥＰ１１）。ＳＴＥＰ１１において、検出された購入回数が所定の回数に達していた場合には、記憶手段６に登録されたデータより検出されたサービス金額に所定の割増率をかけて最終のサービス金額を検出する（ＳＴＥＰ８）。
【００６１】
そして、ＳＴＥＰ８において、検出されたサービス金額を入金金額にプラスしたデータをＩＣチップが組み込まれた非接触媒体３に送信する（ＳＴＥＰ５）。また、ＳＴＥＰ１１において検出された購入回数が所定の回数に達していない場合には、記憶手段６に登録されたデータよりサービス金額を検出する（ＳＴＥＰ４）。また、ＳＴＥＰ３において、個人認証ができなかった場合は、入金登録作業を中断し、通常の自動販売機として商品の販売が行われる。
【００６２】
以上のように、本実施の形態においては請求項１または２に記載の発明に、さらに、各商品毎の購入回数を記憶するための特定商品購入回数記憶手段を備えたことにより、個人認証に要する時間を短縮できるとともに、顧客は自動販売機で特定商品を購入した所定回数毎に、サービスを受けることができ、自動販売機での特定商品販売量の増加が期待できる。
【００６３】
（実施の形態６）
図１２は、本発明の実施の形態６の自動販売機の機能ブロック図である。図１３は、同実施の形態の自動販売機の動作を示すフローチャートである。
【００６４】
図１２において、購入金額記憶手段１２は、演算制御部７ｆに接続し、顧客毎に所定の購入金額を記憶するためのものである。
【００６５】
本実施の形態は、実施の形態１または２による自動販売機に、さらに、非接触媒体を使用して商品購入した金額を記憶するための購入金額記憶手段を設けたものである。
【００６６】
以上のように構成された自動販売機について、以下その演算制御部７ｆの動作、作用を図１３のフローチャートをもとにして説明する。
【００６７】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。また、ＳＴＥＰ１において、ＩＣチップが組み込まれた非接触媒体３が検知されなかった場合は、通常の自動販売機として商品の販売が行われる。ＳＴＥＰ２で受信したデータにより個人認証を行う（ＳＴＥＰ３）。ＳＴＥＰ３において、個人認証ができた場合は、顧客の現在の商品購入金額を検出する（ＳＴＥＰ１２）。ＳＴＥＰ１２において、検出された購入金額が所定の金額に達していた場合には、記憶手段６に登録されたデータより検出されたサービス金額に所定の割増率をかけて最終のサービス金額を検出する（ＳＴＥＰ８）。そして、ＳＴＥＰ８において、検出されたサービス金額を入金金額にプラスしたデータをＩＣチップが組み込まれた非接触媒体３に送信する（ＳＴＥＰ５）。また、ＳＴＥＰ７において検出された購入回数が所定の回数に達していない場合には、記憶手段６に登録されたデータよりサービス金額を検出する（ＳＴＥＰ４）。また、ＳＴＥＰ３において、個人認証ができなかった場合は、入金登録作業を中断し、通常の自動販売機として商品の販売が行われる。
【００６８】
以上のように、本実施の形態においては請求項１または２に記載の発明に、さらに、非接触媒体を使用して商品購入した回数を記憶するための購入金額記憶手段を備えたことにより、個人認証に要する時間を短縮できるとともに、顧客は自動販売機で購入した所定金額毎に、サービスを受けることができ、自動販売機での販売量の増加が期待できる。
【００６９】
（実施の形態７）
図１４は、本発明の実施の形態７における自動販売機の機能ブロック図である。図１５は、同実施の形態の自動販売機の動作を示すフローチャートである。
【００７０】
図１４において、金額割増率設定手段１３は、演算制御部７ｇに接続し、累計の購入金額に応じて、サービス金額の割増率を設定するためのものである。
【００７１】
本実施の形態は、実施の形態６による自動販売機に累計購入金額に応じて、割増率を変更するための金額割増率設定手段を備えたものである。
【００７２】
以上のように構成された自動販売機について、以下その演算制御部７ｇの動作、作用を図１５のフローチャートをもとにして説明する。
【００７３】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。また、ＳＴＥＰ１において、ＩＣチップが組み込まれた非接触媒体３が検知されなかった場合は、通常の自動販売機として商品の販売が行われる。
【００７４】
ＳＴＥＰ２で受信したデータにより個人認証を行う（ＳＴＥＰ３）。ＳＴＥＰ３において、個人認証ができた場合は、顧客の現在の商品購入金額により、金額割増率設定手段１３により購入回数に応じて設定された割増率を検出し（ＳＴＥＰ１３）、記憶手段６に登録されたデータより検出されたサービス金額にＳＴＥＰ９にて検出された割増率をかけて最終のサービス金額を検出する（ＳＴＥＰ１０）。そして、ＳＴＥＰ１０において、検出されたサービス金額を入金金額にプラスしたデータをＩＣチップが組み込まれた非接触媒体３に送信する（ＳＴＥＰ５）。また、ＳＴＥＰ３において、個人認証ができなかった場合は、入金登録作業を中断し、通常の自動販売機として商品の販売が行われる。
【００７５】
以上のように、本実施の形態においては請求項６記載の発明に、さらに、累計購入金額に応じて、割増率を変更するための金額割増率設定手段を備えたことにより、顧客は自動販売機で購入した累計金額に応じて、サービスを受けることができ、自動販売機での販売量の増加が期待できる。
【産業上の利用可能性】
【００７６】
以上のように、本発明にかかる自動販売機は、個人認証を行うことにより、顧客毎にサービスを提供することが可能になるので、顧客のニーズに合ったお勧め商品を提示する等の用途にも適用できる。
【図面の簡単な説明】
【００７７】
【図１】本発明の実施の形態１における自動販売機の概略構成図
【図２】同実施の形態の自動販売機の機能ブロック図
【図３】同実施の形態の自動販売機の動作を示すフローチャート
【図４】本発明の実施の形態２における自動販売機の機能ブロック図
【図５】同実施の形態の自動販売機の動作を示すフローチャート
【図６】本発明の実施の形態３における自動販売機の機能ブロック図
【図７】同実施の形態の自動販売機の動作を示すフローチャート
【図８】本発明の実施の形態４における自動販売機の機能ブロック図
【図９】同実施の形態の自動販売機の動作を示すフローチャート
【図１０】本発明の実施の形態５における自動販売機の機能ブロック図
【図１１】同実施の形態の自動販売機の動作を示すフローチャート
【図１２】本発明の実施の形態６における自動販売機のブ機能ロック図
【図１３】同実施の形態の自動販売機の動作を示すフローチャート
【図１４】本発明の実施の形態７における自動販売機の機能ブロック図
【図１５】同実施の形態の自動販売機の動作を示すフローチャート
【図１６】従来の自動販売機システムを示す図
【符号の説明】
【００７８】
１    自動販売機本体
２    顧客
３    非接触媒体
４    通信手段
５    制御装置
６    記憶手段
７ａ，７ｂ，７ｃ，７ｄ，７ｅ，７ｆ，７ｇ  演算制御部
８    金額設定手段
９    購入回数記憶手段
１０  回数割増率設定手段
１１  特定商品購入回数記憶手段
１２  購入金額記憶手段
１３  金額割増率設定手段
【図１】
2007041742.tif 000003
【図２】
2007041742.tif 000004
【図３】
2007041742.tif 000005
【図４】
2007041742.tif 000006
【図５】
2007041742.tif 000007
【図６】
2007041742.tif 000008
【図７】
2007041742.tif 000009
【図８】
2007041742.tif 000010
【図９】
2007041742.tif 000011
【図１０】
2007041742.tif 000012
【図１１】
2007041742.tif 000013
【図１２】
2007041742.tif 000014
【図１３】
2007041742.tif 000015
【図１４】
2007041742.tif 000016
【図１５】
2007041742.tif 000017
【図１６】
2007041742.tif 000018